(57)【特許請求の範囲】
【請求項１】
車体に固定された固定側ランプユニットと該固定側ランプユニットに対して可動の可動側ランプユニットを備える車両用灯具において、
前記固定側ランプユニットの前記可動側ランプユニットのランプに横方向に連なる部位に拡散反射面を形成したことを特徴とする車両用灯具。
【請求項２】
前記固定側ランプユニットと可動側ランプユニットは同一色の光を発するランプをそれぞれ備えることを特徴とする請求項１記載の車両用灯具。
【発明の詳細な説明】
【技術分野】
【０００１】
本発明は、固定側ランプユニットと可動側ランプユニットを備える車両用灯具に関するものである。
【背景技術】
【０００２】
例えば、リヤコンビネーションランプは、テール／ストップランプ、テールランプ、ターンシグナルランプ、バックランプ等の各種ランプを備えているが、テール／ストップランプやターンシグナルランプは、車体後部の側部に固定された固定側ランプユニットに設けられ、テールランプやバックランプは、車体後部に回動可能に支持されたトランクリッドに固定された可動側ランプユニットに設けられている。従って、固定側ランプユニットと可動側ランプユニットとは一体化されず、両者は互いに独立に構成されている。
【０００３】
ところで、特許文献１には、１重レンズの車両用灯具において、消灯時には通常色が得られ、点灯時には濁りのない機能色が得られる１重レンズの車両用灯具が提案され、特許文献２には、消灯時に正面から見た場合の全体の一体感を向上させた車両用灯具が提案されている。
【０００４】
又、特許文献３には、リフレクタやエクステンションの表面に鏡面と半光沢面を混在させることによって意匠的な高級感を得ることができる車両用灯具が提案されている。
【先行技術文献】
【特許文献】
【０００５】
【特許文献１】特開２０００−０７６９０８号公報
【特許文献２】特開平９−０８２１２１号公報
【特許文献３】特開２００８−０７１５５６号公報
【発明の概要】
【発明が解決しようとする課題】
【０００６】
しかしながら、互いに分離された固定側ランプユニットと可動側ランプユニットを備えるリヤコンビネーションランプにおいては、固体側ランプユニットに設けられたテール／ストップランプと可動側ランプユニットに設けられたテールランプは、夜間に点灯して共に赤色光を発するが、両ランプが分離されているために一方のランプから発せられる光が途中で途切れるために車両用灯具の光学的な一体感が損なわれるという問題があった。
【０００７】
本発明は上記問題に鑑みてなされたもので、その目的とする処は、光学的な一体感を高めた車両用灯具を提供することにある。
【課題を解決するための手段】
【０００８】
上記目的を達成するため、請求項１記載の発明は、車体に固定された固定側ランプユニットと該固定側ランプユニットに対して可動の可動側ランプユニットを備える車両用灯具において、前記固定側ランプユニットの前記可動側ランプユニットのランプに横方向に連なる部位に拡散反射面を形成したことを特徴とする。
【００１０】
請求項２記載の発明は、請求項１記載の発明において、前記固定側ランプユニットと可動側ランプユニットは同一色の光を発するランプをそれぞれ備えることを特徴とする。
【発明の効果】
【００１１】
本発明によれば、固定側ランプユニットのランプから発せられた光が拡散反射面で反射して可動側ランプユニットのランプから発せられた光に連なるため、可動側ランプユニットのランプからの光が途中で途切れることなく固定側ランプユニットの領域まで延びているように見え、実際には独立に構成された固定側ランプユニットと可動側ランプユニットを備える車両用灯具の光学的な一体感が高められる。
【図面の簡単な説明】
【００１２】
【図１】本発明に係る車両用灯具の斜視図である。
【図２】本発明に係る車両用灯具の分解斜視図である。
【図３】本発明に係る車両用灯具の平断面図である。
【発明を実施するための形態】
【００１３】
以下に本発明の実施の形態を添付図面に基づいて説明する。
【００１４】
図１は本発明に係る車両用灯具の斜視図、図２は同車両用灯具の分解斜視図、図３は同車両用灯具の平断面図であり、図示の車両用灯具１は車両後部の左右に設けられるリヤコンビネーションランプであって、左右の各リヤコンビネーションランプ１は、車体後部の側部に固定された固定側ランプユニットＵ１と、車体後部に回動可能に支持された不図示のトランクリッドの後面に固定された可動側ランプユニットＵ２を備えており、これらの固定側ランプユニットＵ１と可動側ランプユニットＵ２とは一体化されておらず、両者は互いに独立に構成されている。尚、左右のリヤコンビネーションランプ１は左右対称に構成され、それらの基本構成は同じであるため、以下、一方（車両右側）のリヤコンビネーションランプ１についてのみ図示及び説明する。
【００１５】
上記固定側ランプユニットＵ１は、図２に示すように、ハウジング２とその開口部を覆う透明なアウタレンズ３によって画成された灯室内にテール／ストップランプ４とターンシグナルランプ５を収容して構成されている。
【００１６】
上記テール／ストップランプ４は、車両の幅方向内側（可動ランプユニットＵ２側）に配置され、図３に示すように、光源であるバルブ６と、該バルブ６からの光を反射させて車両後方に向けて出射させるリフレクタ７と、該リフレクタ７の開口部を覆うインナレンズ８を備えている。又、前記ターンシグナルランプ５は、テール／ストップランプ４の外側に配置されており、不図示の光源と図２に示すリフレクタ９を備えている。そして、これらのテール／ストップランプ４とターンシグナルランプ５の周囲にはエクステンション１０が配置されている。
【００１７】
他方、可動側ランプユニットＵ２は、図２に示すように、ハウジング１２とその開口部を覆う透明なアウタレンズ１３によって画成された灯室内にテールランプ１４とバックランプ１５を収容して構成されている。
【００１８】
上記テールプランプ１４とバックランプ１５は横方向に長いランプであって、これらは灯室内に上下に配置され、上側に配されたテールランプ１４は、図３に示すように光源であるバルブ１６と、該バルブ１６からの光を反射させて車両後方に向けて出射させるリフレクタ１７と、該リフレクタ１７の開口部を覆うインナレンズ１８を備えており、インナレンズ１８には拡散用のシボ加工が施されている。又、テールランプ１４の下方に配されたバックランプ１５は、不図示の光源と図２に示すリフレクタ１９を備えている。そして、これらのテールランプ１４とバックランプ１５の周囲にはエクステンション２０が配置されている。
【００１９】
尚、固定側ランプユニットＵ１のテール／ストップランプ４と可動側ランプユニットＵ２のテールランプ１４は、夜間においては共に同一色である赤色の光を出射するものであって、テール／ストップランプ４は、昼夜を問わずブレーキが踏まれたときには強い赤色の光を発する。
【００２０】
而して、本実施の形態では、固定側ランプユニットＵ１のエクステンション１０の可動側ランプユニットＵ２のテールランプ１４に横方向に連なる部位には、シボ加工によって拡散反射面１０ａが形成されている。
【００２１】
以上において、夜間において固定側ランプユニットＵ１のテール／ストップランプ４と可動側ランプユニットＵ２のテールランプ１４が共に点灯している状態では、可動側ランプユニットＵ２のテールランプ１４のバルブ１６からの光は、図３に矢印にて示すようにリフレクタ１７によって反射してインナレンズ１８とアウタレンズ１３を透過して車両後方へと出射される。
【００２２】
又、同様に固定側ランプユニットＵ１のテール／ストップランプ４のバルブ６からの光は、リフレクタ７によって反射してインナレンズ８とアウタレンズ３を透過して車両後方へと出射されるが、その一部は図３に矢印にて示すようにリフレクタ７で反射した後にエクステンション１０の拡散反射面１０ａに向かい、この拡散反射面１０ａで反射及び拡散して車両後方(図３の下方)へと出射し、可動側ランプユニットＵ２のテールランプ１４から発せられる光に連なる。このため、可動側ランプユニットＵ２のテールランプ１４からの赤色の光が途中（可動側ランプユニットＵ２と固定側ランプユニットＵ１との境界）で途切れることなく固定側ランプユニットＵ１の領域まで延びているように見え、実際には独立に構成された固定側ランプユニットＵ１と可動側ランプユニットＵ２を備えるリヤコンビネーションランプ１の光学的な一体感が高められる。
【００２３】
尚、以上は本発明をリヤコンビネーションランプに適用した形態について説明したが、本発明は、固定側ランプユニットと可動側ランプユニットを備える他の車両用灯具に対しても同様に適用可能であることは勿論である。
【符号の説明】
【００２４】
１          リヤコンビネーションランプ（車両用灯具）
２，１２    ハウジング
３，１３    アウタレンズ
４          テール／ストップランプ
５          ターンシグナルランプ
６，１６    バルブ
７，１７    リフレクタ
８，１８    インナレンズ
９，１９    リフレクタ
１０，２０  エクステンション
１０ａ      エクステンションの拡散反射面
Ｕ１        固定側ランプユニット
Ｕ２        可動側ランプユニット
【図１】
0005832911.tif 000002
【図２】
0005832911.tif 000003
【図３】
0005832911.tif 000004